(57)【要約】【課題】これから行われる業務の効率がよくなるようにオフィスの環境を変化させる。【解決手段】画像形成装置は、取得部と、印刷ジョブを行う印刷部と、通信部と、制御部と、を含む。設置機器は照明機器である。印刷文書が第１業務用文書であると判定したとき、制御部は第１色変更指示を通信部に送信させる。印刷文書が第２業務用文書であると判定したとき、制御部は第２色変更指示を通信部に送信させる。第１色変更指示は照明光の色温度を高くするための指示である。第２色変更指示は照明光の色温度を低くするための指示である。【選択図】図６
2019130785.tif 000002
【特許請求の範囲】
【請求項１】
印刷に用いるデータを取得する取得部と、
前記取得部が取得したデータに基づき印刷ジョブを行う印刷部と、
通信を行う通信部と、
前記印刷ジョブの内容に基づき、前記印刷ジョブで印刷される文書である印刷文書が第１業務用文書であるか、第２業務用文書であるかを判定し、
判定結果に基づき、部屋に固定的に設置された設置機器の動作を制御するための指示を前記通信部に送信させる制御部と、を含み、
前記設置機器は照明機器であり、
前記制御部は、
前記印刷文書が前記第１業務用文書であると判定したとき、第１色変更指示を前記通信部に送信させ、
前記印刷文書が前記第２業務用文書であると判定したとき、第２色変更指示を前記通信部に送信させ、
前記第１色変更指示は照明光の色温度を高くするための指示であり、
前記第２色変更指示は照明光の色温度を低くするための指示であることを特徴とする画像形成装置。
【請求項２】
前記設置機器は空調機器であり、
前記制御部は、
前記印刷文書が前記第１業務用文書であると判定したとき、温度低下指示を前記通信部に送信させ、
前記温度低下指示は、前記空調機器の設定温度を下げるための指示であることを特徴とする請求項１に記載の画像形成装置。
【請求項３】
前記温度低下指示を送信してから予め定められた温度維持期間が経過したとき、
前記制御部は、温度復帰指示を前記通信部に送信させ、
前記温度復帰指示は、前記温度低下指示により下げられた前記設定温度を元に戻すため指示であることを特徴とする請求項２に記載の画像形成装置。
【請求項４】
前記設置機器は空調機器であり、
前記制御部は、
予め定められた周期中に、前記印刷文書が前記第１業務用文書であると判定した割合を求め、
求めた前記割合が予め定められた閾値以上のとき、前記設定温度を低くするための温度設定指示を前記通信部に送信させることを特徴とする請求項１乃至３の何れか１項に記載の画像形成装置。
【請求項５】
前記設置機器は部屋に出入りするためのドアの施錠、解錠を行うドアロック機器であり、
前記制御部は、
前記印刷文書が機密文書であるか否かを判定し、
前記機密文書であると判定したとき、ロック指示を前記通信部に送信させ、
前記機密文書ではないと判定したとき、前記ロック指示を前記通信部に送信させず、
前記ロック指示は、前記ドアロック機器に前記ドアを施錠させるための指示であることを特徴とする請求項１乃至４の何れか１項に記載の画像形成装置。
【請求項６】
前記ロック指示を送信してから予め定められたロック維持期間が経過したとき、
前記制御部は、解除指示を前記通信部に送信させ、
前記解除指示は、前記ドアを解錠状態にするための指示であることを特徴とする請求項５に記載の画像形成装置。
【請求項７】
前記制御部は、
前記印刷文書が表を含むとき前記印刷文書を前記第１業務用文書であると判定し、
前記印刷文書が予め定められた形式に沿った定型文書であるとき、前記印刷文書を前記第１業務用文書であると判定し、
前記印刷文書が企画書であるとき、前記印刷文書を前記第２業務用文書であると判定し、
前記印刷文書がプレゼンテーション文書であるとき、前記印刷文書を前記第２業務用文書の文書であると判定することを特徴とする請求項１乃至６の何れか１項に記載の画像形成装置。
【請求項８】
請求項１乃至７の何れか１項に記載の画像形成装置と、
第１光源と、前記第１光源よりも色温度が低い第２光源を含む照明機器と、を含み、
前記第１色変更指示は、前記第１光源を点灯させる指示であり、
前記第２色変更指示は、前記第２光源を点灯させる指示であり、
前記照明機器は、
前記第１光源を点灯している状態で前記第１色変更指示を受信したとき、前記第１光源の光量を大きくし、
前記第２光源を点灯している状態で前記第２色変更指示を受信したとき、前記第２光源の光量を小さくすることを特徴とする画像形成システム。
【発明の詳細な説明】
【技術分野】
【０００１】
本発明は印刷ジョブを実行する画像形成装置と画像形成システムに関する。
【背景技術】
【０００２】
複合機、プリンター、複写機、ＦＡＸ装置のような画像形成装置は印刷を行う。画像形成装置と他の機器を連携させることがある。特許文献１には、空調機と画像形成装置を連携する技術の一例が記載されている。
【０００３】
具体的に、特許文献１には、自装置の動作による発熱に対応するため、自装置がある室内の温度および／または湿度を空調機が調整できるように自装置の動作情報を空調機に送信する画像形成装置が記載されている。この構成により、画像形成装置と空調機とを連携させ、画像形成装置の動作情報から発熱を予測し、空調機に室内の温度や湿度を調整しようとする（特許文献１：請求項１、段落［００１０］）。
【先行技術文献】
【特許文献】
【０００４】
【特許文献１】特開２００３−１８６３７３号公報
【発明の概要】
【発明が解決しようとする課題】
【０００５】
通常、オフィスの環境（室内の状態）は固定的である。使用者は空調機器の温度を設定する。空調機器は、設定温度となるように、室内の空気を冷やす、又は、暖める。室内の温度を変えたい場合、使用者は手動で設定温度を変更する。また、ランプの色やランプの出力ワット数により、照明の色や明るさが決まる。
【０００６】
ここで、オフィスの環境を業務（仕事）の内容に応じて変えることで、業務の効率（処理速度、進捗速度）がよくなる場合があることが分かっている。一方で、環境の変え方によっては、集中しづらい、といった理由で業務の効率が低下する可能性がある。オフィスの環境を変える場合、これから行う業務に対応させるべきという問題がある。各個人の能力、資質をより発揮させられるように環境を変えるべきである。
【０００７】
特許文献１記載の技術は、印刷量が多いとき、画像形成装置から生ずる熱で室内の温度が上昇しないように空調機を動作させる。特許文献１記載の技術は、室内の温度を一定で保ち、環境を積極的に維持する。従って、上記の問題を解決することはできない。
【０００８】
本発明は、上記従来技術の問題点に鑑みてなされたものであり、これから行われる業務の効率がよくなるようにオフィスの環境を変化させることを目的とする。
【課題を解決するための手段】
【０００９】
本発明に係る画像形成装置は、取得部、印刷部、通信部、制御部を含む。前記取得部は印刷に用いるデータを取得する。前記印刷部は、前記取得部が取得したデータに基づき印刷ジョブを行う。前記通信部は通信を行う。前記制御部は、前記印刷ジョブの内容に基づき、前記印刷ジョブで印刷される文書である印刷文書が第１業務用文書であるか、第２業務用文書であるかを判定する。前記制御部は、判定結果に基づき、部屋に固定的に設置された設置機器の動作を制御するための指示を前記通信部に送信させる。前記設置機器は照明機器である。前記印刷文書が前記第１業務用文書であると判定したとき、前記制御部は、第１色変更指示を前記通信部に送信させる。前記印刷文書が前記第２業務用文書であると判定したとき、前記制御部は、第２色変更指示を前記通信部に送信させる。前記第１色変更指示は照明光の色温度を高くするための指示である。前記第２色変更指示は照明光の色温度を低くするための指示である。
【００１０】
本発明に係る画像形成システムは、上述の画像形成装置と、第１光源と、前記第１光源よりも色温度が低い第２光源を含む照明機器と、を含む。前記第１色変更指示は、前記第１光源を点灯させる指示である。前記第２色変更指示は、前記第２光源を点灯させる指示である。前記照明機器は、前記第１光源を点灯している状態で前記第１色変更指示を受信したとき、前記第１光源の光量を大きくする。前記照明機器は、前記第２光源を点灯している状態で前記第２色変更指示を受信したとき、前記第２光源の光量を小さくする。
【発明の効果】
【００１１】
上述したように、本発明によれば、印刷文書の内容に基づき、これから行う業務を予測することができる。そして、これから行う業務にオフィスの環境を対応させ、業務の効率を高めることができる。
【図面の簡単な説明】
【００１２】
【図１】実施形態に係る複合機の一例を示す図である。
【図２】実施形態に係る複合機による照明機器の一例を示す図である。
【図３】実施形態に係る複合機による空調機器の一例を示す図である。
【図４】実施形態に係る複合機によるドアロック機器の一例を示す図である。
【図５】実施形態に係る複合機での文書内容の判定の流れの一例を示す図である。
【図６】実施形態に係る複合機による照明機器の制御の流れの一例を示す図である。
【図７】実施形態に係る複合機による空調機器の制御の流れの一例を示す図である。
【図８】実施形態に係る複合機による周期的な設定温度の調整の一例を示す図である。
【図９】実施形態に係る複合機によるドアロック機器の制御の一例を示す図である。
【発明を実施するための形態】
【００１３】
以下、図１〜図９を用いて、本発明に係る画像形成装置を説明する。画像形成装置として複合機１００を例に挙げて説明する。複合機１００は画像形成装置でもある。但し、本実施の形態に記載されている構成、配置等の各要素は、発明の範囲を限定するものではなく単なる説明例にすぎない。
【００１４】
（複合機１００）
図１に基づき、実施形態に係る複合機１００の一例を説明する。図１は、実施形態に係る複合機１００の一例を示す図である。
【００１５】
複合機１００は制御部１、記憶部２、画像読取部３（取得部に相当）、操作パネル４、印刷部５、通信部６（取得部に相当）を含む。
【００１６】
制御部１は複合機１００の各部を制御する。制御部１はＣＰＵ１１、画像処理回路１２を含む。ＣＰＵ１１は演算、制御を行う。画像処理回路１２は画像処理を画像データに施す。画像処理回路１２は印刷に用いる画像データを生成する。記憶部２は不揮発性の記憶装置と揮発性の記憶装置を含む。記憶部２は不揮発性の記憶装置として、ＲＯＭ２１、ストレージ２２（ＨＤＤ又はＳＳＤ）を含む。記憶部２は揮発性の記憶装置としてＲＡＭ２３を含む。記憶部２は制御用プログラムやデータを記憶する。
【００１７】
原稿を読み取る印刷ジョブ（コピージョブ）のとき、制御部１は、原稿を画像読取部３に読み取らせる。画像読取部３は、原稿の画像データを生成する。
【００１８】
制御部１は操作パネル４と通信可能に接続される。操作パネル４は、表示パネル４１、タッチパネル４２、ハードキー４３を含む。制御部１は表示パネル４１の表示を制御する。制御部１は設定用の操作画像を表示パネル４１に表示させる。操作画像は、例えば、ソフトキーやボタンである。タッチパネル４２の出力に基づき、制御部１は操作された操作画像を認識する。また、制御部１は、操作されたハードキー４３を認識する。操作パネル４は使用者の操作（操作画像やハードキー４３への操作）を受け付ける。
【００１９】
印刷部５は用紙を搬送しつつ、用紙に印刷を行う。印刷部５は画像データに基づき印刷を行う。印刷部５は給紙部５ａ、用紙搬送部５ｂ、画像形成部５ｃ、定着部５ｄを含む。制御部１は、給紙部５ａ、用紙搬送部５ｂ、画像形成部５ｃ、定着部５ｄの動作を制御する。印刷ジョブのとき、制御部１は給紙部５ａに用紙を供給させる。制御部１は用紙搬送部５ｂに用紙を搬送させる。制御部１は、画像データに基づくトナー像を画像形成部５ｃに形成させる。制御部１は、形成したトナー像の搬送用紙への転写を画像形成部５ｃに行わせる。制御部１はトナー像が転写された用紙の加熱、加圧を定着部５ｄに行わせる。これにより、用紙にトナー像が定着する。制御部１は、定着済（印刷済）の用紙を排出トレイまで用紙搬送部５ｂに搬送させる。
【００２０】
通信部６はネットワーク２００を介して通信できる。通信部６は、通信に必要なハードウェアとソフトウェアを含む。ハードウェアは、例えば、通信回路や通信用メモリーである。通信部６はコンピューター３００と通信する。コンピューター３００は、例えば、ＰＣやサーバーである。通信部６は複数のコンピューター３００と通信可能である。
【００２１】
複合機１００は印刷ジョブを行う。印刷ジョブには、例えば、コピージョブとプリントジョブがある。コピージョブでは、画像読取部３が原稿を読み取る。画像読取部３は読み取りで得られた画像データを処理する。制御部１は画像データに基づく印刷を印刷部５に行わせる。コピージョブでは、画像読取部３が取得部として機能する。コンピューター３００からプリントジョブデータを通信部６が受信したとき、プリントジョブが行われる。画像処理回路１２はプリントジョブデータに基づき、画像データを生成、処理する。制御部１は画像データに基づく印刷を印刷部５に行わせる。プリントジョブでは、通信部６が取得部として機能する。印刷部５は取得部が取得したデータに基づき印刷を行う。
【００２２】
また、通信部６は、ネットワーク２００を介し、照明機器７（設置機器に相当）、空調機器８（設置機器に相当）、ドアロック機器９（設置機器に相当）と通信できる。ネットワーク２００は、例えば、インターネットである。照明機器７、空調機器８、ドアロック機器９は、ＩｏＴ機器である。例えば、照明機器７は、室内の天井に取り付けられる。照明機器７は室内を照らす。例えば、空調機器８は、室内の天井や壁に取り付けられる。空調機器８は室内の温度を調整する。ドアロック機器９は、部屋に出入りするためのドアの施錠、解錠を行う。照明機器７は、１台でもよいし、複数台でもよい。空調機器８も１台でもよいし、複数台でもよい。ドアロック機器９も１台でもよいし、複数台でもよい。なお、便宜上、図２では、照明機器７、空調機器８、ドアロック機器９を１つずつ図示している。複合機１００、照明機器７、空調機器８、及び、ドアロック機器９は、画像形成システム１０１（環境管理システム）を構成する。
【００２３】
（照明機器７の制御）
次に、図２を用いて、実施形態に係る複合機１００による照明機器７の制御の一例を説明する。図２は、実施形態に係る複合機１００による照明機器７の一例を示す図である。
【００２４】
照明機器７は、照明制御部７０、第１光源７１、第２光源７２、照明通信部７３を含む。例えば、第１光源７１、第２光源７２はＬＥＤである。言い換えると、照明機器７はＬＥＤランプである。第１光源７１と第２光源７２は、それぞれ色温度が異なる。第１光源７１は第２光源７２よりも色温度が高い。第２光源７２は、第３光源よりも色温度が低い。例えば、第１光源７１の色温度は、約５０００Ｋ〜約６５００Ｋである（昼白色又は昼光色）。第２光源７２の色温度は約３０００Ｋである（電球色）。
【００２５】
照明制御部７０は照明機器７を制御する回路を含む基板である。照明制御部７０は第１光源７１を制御する。例えば、照明制御部７０は、第１光源７１の照度（光量）を制御する。また、照明制御部７０は第２光源７２を制御する。例えば、照明制御部７０は、第２光源７２の照度（光量）を制御する。照明通信部７３は、複合機１００（通信部６）からの指示を受信する。照明制御部７０は、複合機１００の指示に基づき、点灯させる光源を選択する。照明制御部７０は、第１光源７１を点灯させているとき、第２光源７２を消灯する。また、照明制御部７０は、第２光源７２を点灯させているとき、第１光源７１を消灯する。照明制御部７０は、複合機１００の指示に基づき、光量（照度）を調整する。例えば、照明制御部７０は、光源に流す電流の大きさを変化させ、光量を調整する。
【００２６】
（空調機器８の制御）
次に、図３を用いて、実施形態に係る複合機１００による空調機器８の制御の一例を説明する。図３は、実施形態に係る複合機１００による空調機器８の一例を示す図である。
【００２７】
空調機器８は、空調制御部８０、室内機８１、室外機８２、温度設定部８３、空調通信部８４を含む。室内機８１はファンを含む。室内機８１は室内の空気を吸入する。室内機８１は熱交換後の空気を室内に吹き出す。室外機８２と室内機８１は冷媒のやり取りを行う。室外機８２は熱交換器を含む。室外機８２は室外の空気（建物外の空気）との熱交換を行う。熱交換により、室内機８１から冷風、又は、温風が吹き出される。温度設定部８３は、空調機器８の設定温度、風量、風向、モード等の設定を受け付ける。温度設定部８３は、壁面に設けられるパネルでもよいし、リモコンでもよい。
【００２８】
空調制御部８０は空調機器８を制御する回路を含む基板である。また、空調機器８は温度センサー８５を含む。温度センサー８５の出力に基づき、空調制御部８０は室内の温度を認識する。室内の温度が設定温度（温度設定部８３で設定された温度）となるように、空調制御部８０は冷風又は温風の風量を制御する。言い換えると、空調制御部８０は、温度センサー８５により検知された温度が設定温度となるように室外機８２と室内機８１の運転を制御する。これにより、室内の温度は、設定温度で保たれる。
【００２９】
空調通信部８４は、複合機１００（通信部６）からの指示を受信する。空調制御部８０は、複合機１００の指示に基づき、設定温度を変更する。指示を受けたとき、空調制御部８０は、設定温度を自動的に変更する。
【００３０】
（ドアロック機器９の制御）
次に、図４を用いて、実施形態に係る複合機１００によるドアロック機器９の制御の一例を説明する。図４は、実施形態に係る複合機１００によるドアロック機器９の一例を示す図である。
【００３１】
ドアロック機器９はロック制御部９０、施錠機構９１、金属錠９２、入力パネル９３、ロック通信部９４を含む。施錠機構９１及び金属錠９２はドアに設けられる。施錠機構９１はモーターやギアを含む。施錠機構９１は金属錠９２を動かす。ロック制御部９０は、ドアの施錠、解錠を制御する。ロック制御部９０はドアロック機器９を制御する回路を含む基板である。施錠するとき、ロック制御部９０は施錠機構９１を動作させる。ロック制御部９０は施錠する方向に金属錠９２を動かす。施錠状態では、ドアを開けることができない。解錠するとき、ロック制御部９０は施錠機構９１を動作させる。ロック制御部９０は解錠する方向に金属錠９２を動かす。解錠状態では、ドアを開けることができる。
【００３２】
入力パネル９３は、施錠状態を一時的に解除するための部分である。入力パネル９３は、ドアの近傍に設けられる。入力パネル９３は解錠番号の入力を受け付ける。入力パネル９３は入室しようとするものが直接、解錠番号を入力するタイプでもよいし、解錠用カードを読み取るタイプでもよい。
【００３３】
直接、解錠番号を入力するタイプの場合、入力パネル９３は番号入力用のボタンを含む。解錠したい者は、ボタンを操作して解錠番号を入力する。解錠用カードを読み取るタイプの場合、入力パネル９３はカードリーダーを含む。入力パネル９３はかざされた解錠用カードから解錠番号を読み取る。ロック制御部９０は、入力された解錠番号を認識する。ロック制御部９０は、予め登録された番号と解錠番号を比較する。ロック制御部９０は入力された解錠番号が正しいか否かを判定する。入力された解錠番号が正しいとき、ロック制御部９０は、金属錠９２を一時的に解錠する。一時的な解錠後、予め定められた時間が経過すると、ロック制御部９０は、施錠状態に戻す。ロック通信部９４は、複合機１００（通信部６）からの指示を受信する。ロック制御部９０は、複合機１００の指示に基づき、施錠又は解錠する。
【００３４】
（文書内容の判定）
次に、図５に基づき実施形態に係る複合機１００での文書内容の判定の一例を説明する。図５は実施形態に係る複合機１００での文書内容の判定の流れの一例を示す図である。
【００３５】
図５のスタートは、印刷ジョブを開始する時点である。印刷ジョブは、例えば、コピージョブやプリントジョブである。まず、制御部１（画像処理回路１２）は、印刷ジョブの各ページの画像データを生成する（ステップ♯１１）。
【００３６】
そして、制御部１は、印刷ジョブで印刷される文書（印刷文書）が第１業務用文書であるか否かを判定する（ステップ♯１２）。第１業務用文書か否かを判定するため、制御部１（画像処理回路１２）は、印刷ジョブの各ページの画像データを解析する。第１業務用文書は、頭脳が覚醒している状態で行うことが好ましい業務で用いられる文書である。言い換えると、第１業務用文書は、目が覚めている状態で行うことが好ましい業務で用いられる文書である。例えば、第１業務用文書は、文書の内容確認、文書内のミス発見、計算のような業務で用いられる文書である。文章や数字の確認業務や、計算業務が行われるとき、室内を眠くなりにくい環境にすることが好ましい。
【００３７】
例えは、印刷文書が所定サイズよりも大きい表を含むとき、制御部１は、印刷文書が第１業務用文書であると判定してもよい。例えば、財務関係書類は表を含む。制御部１は、印刷文書が所定サイズよりも大きい表を含むか否かを確認するため、各ページの画像データを解析する。例えば、制御部１は、各ページに含まれる罫線を確認する。制御部１は、一定の長さ以上の高濃度画素の直線を罫線と認識する。そして、制御部１は、４本の罫線で囲まれた領域であり、領域内に複数の罫線を含み、かつ、領域のサイズが所定サイズよりも大きいとき、制御部１は、印刷文書が第１業務用文書であると判定してもよい。
【００３８】
また、制御部１は、印刷文書が予め定められた形式に沿った定型文書であるとき、印刷文書を第１業務用文書であると判定してもよい。定型文書の作成や内容確認をするとき、室内の環境を眠くなりにくい環境にすることが好ましい。印刷文書が定型文書か否かを確認するため、制御部１（画像処理回路１２）は、印刷ジョブの各ページの画像データを解析する。例えば、制御部１は、ＯＣＲ処理を行い、各ページに含まれる文字、単語を認識する。記憶部２は様々な定型文書に含まれる単語をまとめた単語データを記憶する。印刷ジョブに含まれる単語と単語データに含まれる単語の一致数が所定値を超えるとき、制御部１は、印刷文書が定型文書であると判定してもよい。
【００３９】
また、印刷文書が計算用の文書であるとき、制御部１は、印刷文書を第１業務用文書であると判定してもよい。印刷文書が計算用の文書か否かを確認するため、制御部１は、ＯＣＲ処理を行い、各ページに含まれる数字の個数を認識してもよい。印刷文書に含まれる数字の個数が所定の個数を超えるとき、制御部１は、印刷文書が計算用の文書であると判定してもよい。
【００４０】
なお、上述した第１業務用文書か否かの判定の手法は一例にすぎない。他の手法により、印刷文書が第１業務用文書か否かを判定してもよい。例えば、制御部１は、ディープラーニング技術を用いて、印刷文書が第１業務用文書か否かを判定してもよい。この場合、記憶部２は、第１業務用文書か否かを判定するための第１判定用データ（ビックデータ）を記憶する。例えば、ストレージ２２が第１判定用データを記憶する。
【００４１】
印刷文書を第１業務用文書と判定したとき（ステップ♯１２のＹｅｓ）、制御部１は判定結果データを記憶部２に不揮発的に記憶させる（ステップ♯１３）。判定結果データは判定結果と、判定した日時と時刻を付したデータである。そして、判定処理は終了する（エンド）。印刷文書が第１業務用文書ではないと判定したとき（ステップ♯１２のＮｏ）、制御部１は、印刷文書が第２業務用文書であるか否かを判定する（ステップ♯１４）。
【００４２】
第２業務用文書か否かを判定するため、制御部１（画像処理回路１２）は、印刷ジョブの各ページの画像データを解析する。第２業務用文書は、創造力が豊かな状態で行うことが好ましい業務で用いられる文書である。言い換えると、第２業務用文書は、リラックスし、アイデアが出やすい状態で行うことが好ましい業務で用いられる文書である。例えば、第２業務用文書は、企画書やプレゼンテーション文書や、ブレインストーミングで用いられる文書である。第２業務用文書に基づく業務を行うとき、アイデアが出やすい環境にすることが好ましい。
【００４３】
例えは、制御部１は、印刷文書が企画書であるとき、印刷文書を第２業務用文書であると判定としてもよい。制御部１は、印刷文書が企画書か否かを判定するため、印刷ジョブの各ページの画像データを解析する。企画書は興味をもってもらうため、視覚的に様々な工夫がなされる。そこで、制御部１は、印刷文書で使用されている文字色の数が予め定められた色数以上のとき、制御部１は、印刷文書が企画書であると判定してもよい。また、制御部１は、印刷ジョブの各ページに含まれる各文字のサイズを認識する。文字サイズの種類が予め定められた種類数以上のとき、制御部１は、印刷文書が企画書であると判定してもよい。
【００４４】
また、制御部１は、印刷文書がプレゼンテーション文書であるとき、印刷文書が第２業務用文書であると判定する。制御部１は、通信部６が受信したプリントジョブデータがプレゼンテーション文書作成ソフトウェアで作成されたファイルに基づくとき、印刷文書がプレゼンテーション文書であると判定する。プレゼンテーション文書作成ソフトウェアは、例えば、パワーポイントである。
【００４５】
なお、上述した第２業務用文書か否かの判定の手法は一例にすぎない。他の手法により、印刷文書が第２業務用文書か否かを判定してもよい。例えば、制御部１は、ディープラーニング技術を用いて、印刷文書が第２業務用文書か否かを判定してもよい。この場合、記憶部２は、第２業務用文書か否かを判定するための第２判定用データ（ビックデータ）を記憶する。例えば、ストレージ２２が第２判定用データを記憶する。
【００４６】
印刷文書が第２業務用文書であると判定したとき（ステップ♯１３のＹｅｓ）、フローはステップ♯１３に移行する。印刷文書が第２業務用文書ではないと判定したとき（ステップ♯１３のＮｏ）、制御部１は、印刷文書が第１業務用文書ではなく第２業務用文書でもない文書（判定不可文書）であると認識する（ステップ♯１４）。そして、フローはステップ♯１３に移行する（エンド）。
【００４７】
（照明機器７の制御）
次に、図６に基づき実施形態に係る複合機１００による照明機器７の制御の流れの一例を説明する。図６は複合機１００による照明機器７の制御の流れの一例を示す図である。
【００４８】
図６のスタートは、印刷文書の判定を行った時点である。判定を行うたびに図６のフローチャートを実行してもよい。室内の照明状態が頻繁に切り替わると集中が阻害されるおそれがある。そこで、図６のフローチャートに基づき、照明機器７に指示を与えた後、予め定められた第１待ち時間が経過するまで、印刷ジョブが実行されても、図６のフローチャートを実行しないようにしてもよい。言い換えると、制御部１は、照明機器７に指示を送信してから、第１待ち時間が経過するまで、次の指示を照明機器７に送信しないようにしてもよい。室内の照明状態が頻繁に切り替わることを防ぐことができる。記憶部２は不揮発的に第１待ち時間を記憶する。第１待ち時間は予め定められる。操作パネル４は第１待ち時間の設定を受け付けてもよい。この場合、記憶部２は設定された第１待ち時間を記憶する。制御部１は、第１待ち時間以上の間を空けて、照明機器７に指示を送信する。
【００４９】
印刷文書を第１業務用文書と判定したとき（ステップ♯２１のＹｅｓ）、制御部１は、照明機器７（照明通信部７３）に向けて、第１色変更指示を通信部６に送信させる（ステップ♯２２）。第１色変更指示は照明の光の色温度を高くするための指示である。
【００５０】
第１色変更指示を受けたとき、照明制御部７０は第１光源７１を点灯させる（ステップ♯２３）。第１色変更指示を受ける前、第２光源７２を点灯し、第１光源７１を消灯している場合、照明制御部７０は、第１光源７１を点灯し、第２光源７２を消灯させる。第１色変更指示を受ける前から第１光源７１を点灯し、第２光源７２を消灯している場合、照明制御部７０は、第１光源７１の点灯を継続させ、第２光源７２の消灯を継続させる。
【００５１】
第１光源７１の点灯中、照明制御部７０は、室内の照度が予め定められた照度範囲内となるように第１光源７１を点灯させる。例えば、ＪＩＳ規格では、事務所内の照度は、３００ルクス〜７５０ルクス程度が好ましいとされる。そこで、照度範囲を３００ルクス〜７５０ルクスとすることができる。
【００５２】
第１光源７１は第２光源７２よりも色温度が高い。第２光源７２の光よりも第１光源７１の光の方が、白く、明るく感じられる。第２光源７２の光よりも第１光源７１の光の方が、頭脳を覚醒させる働きが強い。第１光源７１の光の方が眠くなりにくい。第１業務用文書は、ルーチンワークのような目が覚めている状態で行うことが好ましい業務で用いられる文書である。従って、第１業務用文書を用いた業務の効率が高くなるように、照明光の色を調整することができる。
【００５３】
第１色変更指示を受ける前から第１光源７１を点灯し、第２光源７２を消灯している場合、照明制御部７０は、第１色変更指示を受けたとき、第１光源７１の光量を段階的に大きくしてもよい。つまり、場合により、照明制御部７０は、第１光源７１の光量を大きくしてもよい（ステップ♯２３）。そして、制御部１は本フローを終了させる（エンド）。
【００５４】
具体的に、照明制御部７０は、第１光源７１に供給する電流を段階的に大きくする。なお、第１光源７１に供給する電流の上限値（上限光量）は予め定められる。明るすぎると、不快感が強くなるためである。電流が上限値（上限光量）の状態で、第１色変更指示を受信したとき、照明制御部７０は、第１光源７１の光量を大きくしない。
【００５５】
印刷文書を第１業務用文書と判定せず（ステップ♯２１のＮｏ）、第２業務用文書と判定したとき（ステップ♯２４のＹｅｓ）、制御部１は、照明機器７（照明通信部７３）に向けて、第２色変更指示を通信部６に送信させる（ステップ♯２５）。第２色変更指示は照明の光の色温度を低くするための指示である。
【００５６】
第２色変更指示を受けたとき、照明制御部７０は、第２光源７２を点灯させる（ステップ♯２６）。第２色変更指示を受ける前、第１光源７１を点灯し、第２光源７２を消灯している場合、照明制御部７０は、第２光源７２を点灯し、第１光源７１を消灯させる。一方、第２色変更指示を受ける前から第２光源７２を点灯し、第１光源７１を消灯している場合、照明制御部７０は、第２光源７２の点灯と第１光源７１の消灯を継続させる。照明制御部７０は、室内の照度が上述の照度範囲内となるように第２光源７２を点灯させる。
【００５７】
第２光源７２は第１光源７１よりも色温度が高い。第２光源７２の光はオレンジ色の成分を多く含む。第１光源７１の光よりも第２光源７２の光の方が、白さが弱く、少し暗く感じられる。第１光源７１の光よりも第２光源７２の光の方が、創造力（発想力）を高める働きが強いといわれている。第２光源７２の光の方がクリエイティブな業務に向いている。第２業務用文書は、企画書作成のような創造力が豊かな状態で行うことが好ましい業務で用いられる文書である。第２業務用文書を用いた業務の効率が高くなるように、照明光の色を調整することができる。
【００５８】
第２色変更指示を受ける前から第２光源７２を点灯し、第１光源７１を消灯している場合、照明制御部７０は、第２色変更指示を受けるごとに、第２光源７２の光量を段階的に小さくしてもよい。つまり、場合により、照明制御部７０は、第２光源７２の光量を小さくしてもよい（ステップ♯２６）。そして、制御部１は本フローを終了させる（エンド）。
【００５９】
具体的に、照明制御部７０は、第２色変更指示を受けるごとに、第２光源７２に供給する電流を段階的に小さくする。なお、第２光源７２に供給する電流の下限値（下限光量）は予め定められる。暗すぎることは好ましくないためである。電流が下限値（下限光量）の状態で、第２色変更指示を受信したとき、照明制御部７０は、第２光源７２の光量を小さくしない。
【００６０】
印刷文書を第１業務用文書と判定せず（ステップ♯２１のＮｏ）、かつ、印刷文書を第２業務用文書とも判定していないとき（ステップ♯２４のＮｏ）、制御部１は、照明機器７（照明通信部７３）への指示を送信しない（ステップ♯２７）。つまり、制御部１は、照明機器７が発する光の色を変更しない。また、制御部１は、照明機器７の光量も変更しない。そして、本フローは終了する（エンド）。
【００６１】
（空調機器８の制御）
次に、図７に基づき、実施形態に係る複合機１００による空調機器８の制御の流れの一例を説明する。図７は、複合機１００による空調機器８の制御の流れの一例を示す図である。
【００６２】
図７のスタートは、印刷文書の判定を行った時点である。判定を行うたびに図７のフローチャートを実行してもよい。図７のフローチャートに基づき、空調機器８に指示を与えた後、予め定められた第２待ち時間が経過するまで、印刷ジョブが実行されても、図７のフローチャートを実行しないようにしてもよい。言い換えると、制御部１は、空調機器８に指示を送信してから、第２待ち時間が経過するまで、次の指示を空調機器８に送信しないようにしてもよい。空調機器８の設定温度が頻繁に切り替わることを防ぐことができる。第２待ち時間は予め設定される。記憶部２は、第２待ち時間を不揮発的に記憶する。例えば、第２待ち時間は、数分〜数時間の間の何れかの時間とされる。操作パネル４は第２待ち時間の設定を受け付けてもよい。この場合、記憶部２は設定された第２待ち時間を記憶する。制御部１は、第２待ち時間以上の間を空けて、空調機器８に指示を送信する。
【００６３】
印刷文書を第１業務用文書と判定したとき（ステップ♯３１のＹｅｓ）、制御部１は、空調機器８（空調通信部８４）に向けて、温度低下指示を通信部６に送信させる（ステップ♯３２）。温度低下指示は、空調機器８の設定温度を下げるための指示である。部屋の温度を下げることで、眠くなりにくくする。第１業務用文書を用いた業務の効率が高くなるように、空調機器８の動作を制御することができる。
【００６４】
温度低下指示を受けたとき、空調制御部８０は設定温度を下げる（ステップ♯３３）。なお、空調制御部８０は、設定温度を設定可能な最低温度以下にはしない。例えば、温度低下指示を受けたときの設定温度が最低温度のとき、空調制御部８０は、設定温度を最低温度で維持する。
【００６５】
制御部１は、下げる温度（温度変化量）を温度低下指示として送信する。温度変化量は予め定められる。例えば、温度変化量は１〜数度である。記憶部２は温度変化量を不揮発的に記憶する。操作パネル４は温度変化量（設定温度の変化幅）の設定を受け付けてもよい。この場合、記憶部２は設定された温度変化量を記憶する。制御部１は、設定された温度変化量だけ設定温度を下げる温度低下指示を送信させる。
【００６６】
制御部１は、温度低下指示後、温度維持期間が経過したか否かの確認を続ける（ステップ♯３４、ステップ♯３４のＮｏ→ステップ♯３４）。温度維持期間は、室温を下げた状態を保つ期間である。記憶部２は温度維持期間を不揮発的に記憶する。温度維持期間は、第２待ち時間と同じ時間としてもよい。また、操作パネル４は温度維持期間の設定を受け付けてもよい。この場合、記憶部２は設定された温度維持期間を記憶する。制御部１は設定された温度維持期間を用いる。
【００６７】
温度維持期間が経過したとき（ステップ♯３４のＹｅｓ）、制御部１は、空調通信部８４に向けて、温度復帰指示を通信部６に送信させる（ステップ♯３５）。温度復帰指示は、空調機器８の設定温度を温度低下指示前に戻すための指示である。温度復帰指示は設定温度が下がり続けることを避けるための指示である。温度復帰指示を受けたとき、空調制御部８０は、設定温度を上げる（戻す）（ステップ♯３６）。制御部１は、温度変化量だけ設定温度を上げる指示を温度復帰指示として送信する。そして、本フローは終了する。
【００６８】
なお、印刷文書を第１業務用文書ではないと判定したとき（ステップ♯３１のＮｏ）、制御部１は本フローを終了させる（エンド）。制御部１は、空調機器８（空調通信部８４）に向けて指示を通信しない。制御部１は、空調機器８の運転状態を変更しない。
【００６９】
（周期的な設定温度の調整）
次に、図８を用いて、実施形態に係る複合機１００による周期的な設定温度の調整の一例を説明する。図８は、実施形態に係る複合機１００による周期的な設定温度の調整の一例を示す図である。
【００７０】
複合機１００は周期的に空調機器８を設定する。制御部１は設定温度を周期的に調整する。周期は予め定められる。記憶部２は周期を不揮発的に記憶する。例えば、３日ごと、５日ごと、１週間ごと、２週間ごと、１月ごとのように周期は適宜定められる。操作パネル４は周期の設定を受け付けてもよい。この場合、記憶部２は設定された周期を記憶する。また、制御部１は、設定された周期に基づき、空調機器８を設定する。
【００７１】
図８のスタートは、最初に温度低下指示を送信してから、又は、前回の周期の最後から周期が経過した時点である。制御部１は、印刷文書が第１業務用文書であると判定した割合を求める（ステップ♯４１）。制御部１は、周期中に第１業務用文書と判定した回数を、周期中の全ての印刷文書の数（周期中の印刷ジョブの数）で除して割合を求める。
【００７２】
次に、制御部１は求めた割合が閾値以上か否かを確認する（ステップ♯４２）。閾値は予め定められる。閾値は記憶部２に不揮発的に記憶される。例えば、閾値は５０％である。操作パネル４は閾値の設定を受け付けてもよい。この場合、記憶部２は設定された閾値を記憶する。また、制御部１は、設定された閾値を用いる。
【００７３】
求めた割合が閾値未満のとき（ステップ♯４２のＮｏ）、制御部１は本フローを終了させる（エンド）。求めた割合が閾値以上のとき（ステップ♯４２のＹｅｓ）、制御部１は、空調通信部８４に向けて、温度設定指示を通信部６に送信させる（ステップ♯４３）。温度設定指示は、空調機器８の設定温度を低くするための指示である。第１業務用文書を用いる業務の割合が高いと推測できる場合、制御部１は室温を抑え、眠くなりにくくする。業務の効率が高くなるように、周期的に空調機器８の動作を制御することができる。
【００７４】
制御部１は、設定温度の下げ幅（温度低下量）を温度設定指示として通信部６に送信する。例えば、制御部１は、１〜２度程度、設定温度を下げる指示を通信部６に送信させる。温度設定指示を受けたとき、空調制御部８０は、設定温度を下げる（ステップ♯４４）。そして、制御部１は本フローを終了させる（エンド）。空調制御部８０は、指示された温度だけ設定温度を下げる。なお、空調制御部８０は、設定温度を設定可能な最低温度以下にはしない。
【００７５】
（ドアロック機器９の制御）
次に、図９を用いて、実施形態に係る複合機１００によるドアロック機器９の制御の一例を説明する。図９は、実施形態に係る複合機１００によるドアロック機器９の制御の一例を示す図である。
【００７６】
図９のスタートは、印刷ジョブを開始する時点である。印刷ジョブは、例えば、コピージョブやプリントジョブである。まず、制御部１（画像処理回路１２）は、印刷ジョブの各ページの画像データを生成する（ステップ♯５１）。そして、制御部１は、印刷ジョブで印刷される文書（印刷文書）が機密文書であるか否かを判定する（ステップ♯５２）。機密文書か否かを判定するため、制御部１（画像処理回路１２）は、印刷ジョブの各ページの画像データを解析する。
【００７７】
例えば、印刷文書が予め定められた図形を含むとき、制御部１は機密文書であると判定してもよい。例えば、マル秘の図形が含まれているとき、制御部１は、印刷文書が機密文書であると判定してもよい。
【００７８】
また、例えば、機密文書には、「Confidential」、「機密文書」、「部外秘」のような語が付される場合がある。記憶部２は機密文書用語データを不揮発的に記憶する。機密文書用語データには、機密文書に付される語（機密文書であることを示す語）が定義される。制御部１は、ＯＣＲ処理を行い、各ページに含まれる語を認識する。印刷ジョブ（印刷文書）に機密文書に付される語が含まれているとき、制御部１は印刷文書を機密文書と判定してもよい。印刷ジョブに機密文書に付される語が含まれていないとき、制御部１は印刷文書が機密文書ではないと判定してもよい。
【００７９】
また、個人情報を含む文書は、外部に漏れないようにすべきである。そこで、制御部１は個人情報を含む印刷文書を機密文書と判定してもよい。記憶部２は住所に用いられる語のリスト（住所判定用リスト）を記憶する。住所判定用リストでは、都道県名や、市町村名が定義される。制御部１は、住所判定用リストを参照し、印刷文書が住所を含むか否かを確認してもよい。また、電話番号の桁数は決まっている。また、携帯電話番号の先頭の数桁は決まった数字である。市外局番も地域ごとに決まっている。記憶部２は電話番号に用いられる数字列のリスト（電話番号判定用リスト）を記憶する。制御部１は、印刷文書から電話番号と同じ桁数の数字列を抽出する。制御部１は、抽出した数字列と電話番号判定用リストを比較し、印刷文書が電話番号を含むか否かを確認してもよい。住所と電話番号の何れか一方、又は、両方を含む場合、制御部１は、機密文書と判定してもよい。
【００８０】
機密文書でないと判定したとき（ステップ♯５２のＮｏ）、制御部１は本フローを終了させる（エンド）。制御部１はドアロック機器９への指示を通信部６に送信させない。一方、機密文書であると判定したとき（ステップ♯５２のＹｅｓ）、制御部１はドアロック機器９（ロック通信部９４）に向けて、ロック指示を通信部６に送信させる（ステップ♯５３）。ロック指示は、ドアロック機器９にドアを施錠させるための指示である。ロック指示を受けたとき（ステップ♯５３のＹｅｓ）、ロック制御部９０は、ドアを施錠状態とする（ステップ♯５４）。ロック制御部９０は施錠機構９１を動作させる。これにより、ドアが金属錠９２でロックされる。機密文書の室外への持ち出しを防ぐことができる。
【００８１】
ロック指示の送信後、制御部１はロック維持期間が経過したか否かの確認を続ける（ステップ♯５５のＮｏ→ステップ♯５５）。ロック維持期間は、施錠状態をドアロック機器９に維持させる期間である。部屋に出入りするたびに解錠が必要であると不便な場合がある。そこで、制御部１は施錠する期間を限る。ロック維持期間は予め定められる。記憶部２はロック維持期間を不揮発的に記憶する。操作パネル４はロック維持期間の設定を受け付けてもよい。この場合、制御部１は、設定されたロック維持期間を用いる。
【００８２】
ロック維持期間が経過したとき（ステップ♯５５のＹｅｓ）、制御部１は、ロック通信部９４に向けて、解除指示を通信部６に送信させる（ステップ♯５６）。解除指示は、ドアを解錠状態にするための指示である。解除指示を受けたとき、解除指示を受けたとき、ロック制御部９０は、ドアを解錠状態とする（ステップ♯５７）。ロック制御部９０は施錠機構９１を動作させる。これによりドアが解錠される。制御部１は本フローを終了させる（エンド）。
【００８３】
このようにして、実施形態に係る画像形成装置（複合機１００）は、取得部（画像読取部３、通信部６）、印刷部５、通信部６、制御部１を含む。取得部は印刷に用いるデータを取得する。印刷部５は、取得部が取得したデータに基づき印刷ジョブを行う。通信部６は通信を行う。制御部１は、印刷ジョブの内容に基づき、印刷ジョブで印刷される文書である印刷文書が第１業務用文書であるか、第２業務用文書であるかを判定する。制御部１は、判定結果に基づき、部屋に固定的に設置された設置機器の動作を制御するための指示を通信部６に送信させる。設置機器は照明機器７である。印刷文書が第１業務用文書であると判定したとき、制御部１は、第１色変更指示を通信部６に送信させる。印刷文書が第２業務用文書であると判定したとき、制御部１は、第２色変更指示を通信部６に送信させる。第１色変更指示は照明光の色温度を高くするための指示である。第２色変更指示は照明光の色温度を低くするための指示である。
【００８４】
これにより、画像形成装置は印刷文書の内容に応じて照明機器７を制御する。印刷するだけで室内照明の光の色（色温度）を変えることができる。印刷文書に基づきこれから行う業務を予測し、室内の照明を自動的に変更し、室内の照明をこれから行う業務に適した状態にすることができる。印刷内容に応じて、業務の効率、能率が上がるように、室内の環境（照明）を調整することができる。
【００８５】
設置機器は空調機器８でもよい。印刷文書が第１業務用文書であると判定したとき、制御部１は温度低下指示を通信部６に送信させる。温度低下指示は、空調機器８の設定温度を下げるための指示である。これにより、印刷するだけで空調機器８の設定温度を自動的に変えることができる。印刷文書に基づきこれから行う業務を予測し、室内温度を自動的に変更し、室内温度をこれから行う業務に適した温度にすることができる。印刷内容に応じて、業務の効率、能率が上がるように、室内の環境（空調）を調整することができる。
【００８６】
温度低下指示を送信してから予め定められた温度維持期間が経過したとき、制御部１は、温度復帰指示を通信部６に送信させる。温度復帰指示は、温度低下指示により下げられた設定温度を元に戻すため指示である。これにより、温度低下指示に基づき下げられた空調機器８の設定温度を元に戻すことができる。空調機器８の設定温度の下がりすぎを防ぐことができる。室内が寒くなりすぎることを防ぐことができる。
【００８７】
制御部１は、予め定められた周期中に、印刷文書が第１業務用文書であると判定した割合を求める。求めた割合が予め定められた閾値以上のとき、制御部１は、設定温度を低くするための温度設定指示を通信部６に送信させる。これにより、第１業務用文書を印刷する頻度が高いとき、空調機器８の設定温度を周期的かつ自動的に下げることができる。
【００８８】
設置機器は部屋に出入りするためのドアの施錠、解錠を行うドアロック機器９であってもよい。制御部１は、印刷文書が機密文書であるか否かを判定する。機密文書であると判定したとき、制御部１は、ロック指示を通信部６に送信させる。機密文書ではないと判定したとき、制御部１は、ロック指示を通信部６に送信させない。ロック指示は、ドアロック機器９にドアを施錠させるための指示である。これにより、機密文書が第三者（情報を盗もうとする者）に持ち去られないように、ドアをロックすることができる。機密情報の漏洩を防ぐことができる。
【００８９】
ロック指示を送信してから予め定められたロック維持期間が経過したとき、制御部１は、解除指示を通信部６に送信させる。解除指示は、ドアを解錠状態にするための指示である。これにより、ドアロックを自動的に解除することができる。機密文書の取り扱い正しい解除用情報を入力できる。権限を有する者が印刷物（機密文書）を取得してから、ドアのロックを解除することができる。
【００９０】
印刷文書が表を含むとき、制御部１は、印刷文書を第１業務用文書であると判定する。印刷文書が予め定められた形式に沿った定型文書であるとき、制御部１は、印刷文書を第１業務用文書であると判定する。印刷文書が企画書であるとき、制御部１は、印刷文書を第２業務用文書であると判定する。印刷文書がプレゼンテーション文書であるとき、制御部１は、印刷文書を第２業務用文書の文書であると判定する。
【００９１】
これにより、目が覚めるようにする（眠くなりにくくする）ことが好ましい業務に用いられる文書を第１業務文書と判定することができる。例えば、文書の内容を細かく確認する業務や、ルーチンワークに用いられる文書を第１業務文書であると判定することができる。例えば、表を含む文書や定型文書を第１業務文書であると判定することができる。照明、空調を調整し、第１業務文書を用いる業務の効率を高めることができる。
【００９２】
一方、創造力（発想力）が求められる業務に用いられる文書を第２業務文書であると判定することができる。例えば、企画やプレゼンテーションの検討に用いられる文書を第２業務文書であると判定することができる。例えば、企画書やプレゼンテーション文書を第２業務文書であると判定することができる。照明、空調を調整し、第２業務文書を用いる業務の効率を高めることができる。
【００９３】
画像形成システム１０１（環境管理システム）は、上述の画像形成装置（複合機１００）と照明機器７を含む。照明機器７は、第１光源７１と、第１光源７１よりも色温度が低い第２光源７２を含む。第１色変更指示は、第１光源７１を点灯させる指示である。第２色変更指示は、第２光源７２を点灯させる指示である。第１光源７１を点灯している状態で第１色変更指示を受信したとき、照明機器７は、第１光源７１の光量を大きくする。第２光源７２を点灯している状態で第２色変更指示を受信したとき、照明機器７は、第２光源７２の光量を小さくする。これにより、印刷するだけで室内照明の照度を上げる、又は、下げることができる。印刷文書に基づきこれから行う業務を予測し、室内照明の明るさを自動的に変更し、室内をこれから行う業務に適した環境にすることができる。印刷内容に応じて、業務の効率、能率が上がるように、室内の環境（照明の明るさ）を調整することができる。
【００９４】
本発明の実施形態を説明したが、本発明の範囲はこれに限定されるものではなく、発明の主旨を逸脱しない範囲で種々の変更を加えて実施することができる。
【産業上の利用可能性】
【００９５】
本発明は、画像形成装置及び画像形成システムに利用可能である。
【符号の説明】
【００９６】
１００  複合機（画像形成装置）          １      制御部
３      画像読取部（取得部）            ５      印刷部
６      通信部（取得部）                ７      照明機器（設置機器）
７１    第１光源                        ７２  第２光源
８      空調機器（設置機器）            ９      ドアロック機器（設置機器）
１０１  画像形成システム（環境管理システム）
【図１】
2019130785.tif 000003
【図２】
2019130785.tif 000004
【図３】
2019130785.tif 000005
【図４】
2019130785.tif 000006
【図５】
2019130785.tif 000007
【図６】
2019130785.tif 000008
【図７】
2019130785.tif 000009
【図８】
2019130785.tif 000010
【図９】
2019130785.tif 000011